(57)【特許請求の範囲】
【請求項１】
モータ部と、このモータ部のフレームと、前記モータ部の軸に設けられ、前方の中央開口から吸引した空気を周縁から吐出する送風ファンと、この送風ファンの後方側に設けられ、前記フレームの後方から吸引した空気を周縁から吐出する冷却ファンと、この冷却ファンの上流側に設けられ、前記モータ部側と前記冷却ファン側とを仕切る仕切り部材とを備え、前記冷却ファンには中央部に吸引口が形成され、前記仕切り部材は中央に通気口を有し、電動送風機内部を流れる空気流の経路が、前記送風ファンの回転により発生する空気流と、冷却ファンの回転により発生する空気流とに分けられ、前記冷却ファンの近傍に位置する軸受は前記仕切り部材の通気口及び冷却ファンの吸引口に配置されていることを特徴とする電動送風機。
【請求項２】
モータ部と、このモータ部のフレームと、前記モータ部の軸に設けられ、前方の中央開口から吸引した空気を周縁から吐出する送風ファンと、この送風ファンの後方側に設けられ、前記フレームの後方から吸引した空気を周縁から吐出する冷却ファンと、この冷却ファンの上流側に設けられ、前記モータ部側と前記冷却ファン側とを仕切る仕切り部材とを備え、前記冷却ファンには中央部に吸引口が形成され、前記仕切り部材は中央に通気口を有し、前記送風ファンにより吸引された空気を排出する排気口と、冷却ファンにより吸引された空気を排出する通気口をそれぞれ設け、前記冷却ファンの近傍に位置する軸受は前記仕切り部材の通気口及び冷却ファンの吸引口に配置されていることを特徴とする電動送風機。
【請求項３】
前記送風ファンと前記冷却ファンがプレートを介して一体形成されていることを特徴とする請求項１または２のいずれかに記載の電動送風機。
【発明の詳細な説明】
【０００１】
【発明の属する技術分野】
この発明は、電気掃除機等に使用され水分等の吸引可能な電動送風機に関するものである。
【０００２】
【従来の技術】
図６は特開平７−３５０９２号公報に開示された従来の水分等の吸引も可能な電動送風機の断面図である。図において、１９は駆動モータ２０を備えた電動送風機で、この駆動モータ２０は出力軸２１に固定されたロータ２２と、このロータ２２に回転力を与えるステータ２３とを備えており、ロータ２２及びステータ２３はモータフレーム２４に覆われている。また、ステータ２３は保持部材Ｈによってモータフレーム２４に固定されている。
【０００３】
モータフレーム２４は後部側が閉塞され前方側が開口された筒状の形状を有しており、モータフレーム２４の後部には冷却用空気を取り入れるための開口２４ａが複数形成されている。このモータフレーム２４の後部には出力軸２１を軸受２５を介して回転自在に保持する軸受ハウジング２６が形成され、モータフレーム２４の上部にはフランジ部２７が形成され、このフランジ部２７には複数の孔２８が形成されている。
【０００４】
出力軸２１の先端部２１ａには、遠心ファン２９が取り付けられており、この遠心ファン２９の前面の中央開口２９ａから吸引したエアを周縁開口２９ｂから吐出するものである。遠心ファン２９は中央に開口３０ａを有するファンカバー３０で覆われており、ファンカバー３０はモータフレーム２４のフランジ部２７に取り付けられている。遠心ファン２９の後方には、整流板３１が配置され、この整流板３１には後方に延びた環状の脚部３２が形成され、この脚部３２がモータフレーム２４のフランジ部２７に固定されている。整流板３１は、遠心ファン２９によって吸引され周縁開口２９ａから突出されてエアを外方に案内すると共に、モータフレーム２４内に流れる冷却風を仕切るものである。
【０００５】
整流板３１の中央部には軸受孔３３が形成され、この軸受孔３３に出力軸２１の先端部２１ａ側を回転自在に保持した軸受３４が取り付けられている。そして、整流板３１と駆動モータ２０のロータ２２及びステータ２３との間の出力軸２１に遠心型冷却ファン３５が取り付けられており、出力軸２１と共に冷却ファン３５が回転するようになっている。この遠心型冷却ファン３５は、エアを吸引する中央開口３６と吸引したエアを吐出する周縁開口３７とを有している。
【０００６】
この遠心型冷却ファン３５が回転すると、モータフレーム２４の後部に形成された開口２４ａから矢印Ｐで示すように、冷却用の空気が入ってきて矢印Ｑに示すようにロータ２２とステータ２３との隙間を冷却風が通っていき、ロータ２２及びステータ２３を冷却していく。この冷却は冷却ファン３５の中央開口３６から吸引されて周縁開口３７から吐出され、フランジ部２７の孔２８を介してモータフレーム２４外へ流れていく。
【０００７】
一方、遠心ファン２９の回転によって中央開口２９ａから吸引されるエアは、周縁開口２９ｂから吐出される。この吐出されたエアは整流板３１によって外方に案内されると共に、矢印Ｒで示すようにモータフレーム２４内に入らずに外へ流れていく。これにより水分に吸引が可能となるものであった。
【０００８】
【発明が解決しようとする課題】
しかしながら、上記のように構成した従来の電動送風機においては、遠心型冷却ファン３５と駆動モータ２０との間に仕切りがないため、遠心型冷却ファン３５の周縁開口３７により吐出された空気が中央開口３６に流れ込む循環気流が生じ、冷却ファン３５内を流れる空気は、高速で回転する冷却ファン３５との摩擦熱により温度上昇を招いていた。
【０００９】
また、軸受３４が遠心ファン２９と冷却ファン３５の背面側に位置しているため、軸受３４には冷却風が当たらず、軸受３４の温度が上昇し、例えば内部の潤滑用グリースが硬化し劣化する等、軸受３４の寿命を低下させていた。
【００１０】
この発明は上記のような課題を解決するものであり、冷却効率を向上させ、モータ部の温度上昇による劣化を防止し、さらにはモータ部の軸受の温度上昇による劣化を防止する高効率で長寿命の電動送風機を得ることを目的とする。
【００１１】
【課題を解決するための手段】
この発明に係る電動送風機は、モータ部と、このモータ部のフレームと、前記モータ部の軸に設けられ、前方の中央開口から吸引した空気を周縁から吐出する送風ファンと、この送風ファンの後方側に設けられ、前記フレームの後方から吸引した空気を周縁から吐出する冷却ファンと、この冷却ファンの上流側に設けられ、前記モータ部側と前記冷却ファン側とを仕切る仕切り部材とを備え、前記冷却ファンには中央部に吸引口が形成され、前記仕切り部材は中央に通気口を有し、電動送風機内部を流れる空気流の経路が、前記送風ファンの回転により発生する空気流と、冷却ファンの回転により発生する空気流とに分けられ、前記冷却ファンの近傍に位置する軸受は前記仕切り部材の通気口及び冷却ファンの吸引口に配置されていることを特徴とする。
また、この発明に係る電動送風機は、モータ部と、このモータ部のフレームと、前記モータ部の軸に設けられ、前方の中央開口から吸引した空気を周縁から吐出する送風ファンと、この送風ファンの後方側に設けられ、前記フレームの後方から吸引した空気を周縁から吐出する冷却ファンと、この冷却ファンの上流側に設けられ、前記モータ部側と前記冷却ファン側とを仕切る仕切り部材とを備え、前記冷却ファンには中央部に吸引口が形成され、前記仕切り部材は中央に通気口を有し、前記送風ファンにより吸引された空気を排出する排気口と、冷却ファンにより吸引された空気を排出する通気口をそれぞれ設け、前記冷却ファンの近傍に位置する軸受は前記仕切り部材の通気口及び冷却ファンの吸引口に配置されていることを特徴とする。
【００１２】
また、前記送風ファンと前記冷却ファンがプレートを介して一体形成されているものである。
【００１３】
【発明の実施の形態】
実施の形態１．
図１はこの発明に係る実施の形態１を示す電動送風機の半分断面図、図２はその拡大断面図、図３はその分解断面図である。図において、１は一端側が開口し、側面に複数の通気口１ａを有すると共に、他端側中央部に軸受ハウジング１ｂを有する有底筒状のモータフレームであり、内部に固定子２と高速で回転する回転子３等が内包されている。４はモータフレーム１の開口側に固定されて中央部に軸受ハウジング４ａを有するブラケットであり、軸受ハウジング４ａの周囲には第１の通気口４ｂを有し、第１の通気口４ｂの外周には第２の通気口４ｃが複数設けられている。５はモータ部であり、回転子３の軸６が軸受７を介してモータフレーム１及びブラケット４の軸受ハウジング１ｂ、４ａに支持されている。８は回転子３の軸６に固定され中央部に吸引口８ａが形成された送風ファンであり、回転子３と共に回転する。９は送風ファン８の背面側（モータ部５側）に設けられ中央部に吸引口９ａが形成された冷却ファンであり、送風ファン８と同様に回転子３と共に回転する。１０は送風ファン８のブレード８ｂと冷却ファン９のブレード９ｂと一体的に形成されるプレートであり、中央部に軸６を貫通する軸穴１０ａが設けられている。また、送風ファン８、冷却ファン９、プレート１０はねじ６ａにより軸６に固定されている。
【００１４】
プレート１０の冷却ファン９側の吸引口９ａ近傍には、軸受７が収まったブラケット４の軸受ハウジング４ａが位置されている。１１は冷却ファン９とモータ部５を仕切る仕切り部材であり、中央に冷却ファン９の吸引口９ａと略等しい径の通気口１１ａを有すると共に、ブラケット４の第１の通気口４ｂと第２の通気口４ｃとを仕切る円筒形の脚部１１ｂを有し、脚部１１ｂの外側には冷却ファン９より排出された空気をブラケット４の第２の通気口４ｃへ案内するブレード１１ｃを有している。１２は仕切り部材１１のブレード１１ｃの上端面に当設され、ブラケット４の外周部に圧入固定され送風ファン８側と冷却ファン９側とを仕切るケーシングであり、中央部分に開口部１２ａを有している。また、ケーシング１２の開口部１２ａ周縁部分は送風ファン８側に折り曲げられており、プレート１０の外周部に設けられた環状溝１０ｂに接触しないように間隙を介して環状溝１０ｂ内に設けられている。
【００１５】
１３はケーシング１２に固定されると共に、送風ファン８より排出される空気を外周方向へ導く案内羽根、１４は送風ファン８及び案内羽根１３を覆うファンカバーであり、中央部分に吸引口１４ａを有すると共に、案内羽根１３により外周方向へ案内された空気を外部へ排出する排気口１４ｂが側面に複数設けられている。
【００１６】
次に動作について説明する。
まず、モータ部５を駆動すると回転子３の軸６に取り付けられた送風ファン８及び冷却ファン９が回転する。そして、送風ファン８より吸引された空気は、図中の矢印Ａで示すように送風ファン８の内部を通って送風ファン８の周縁から吐出し、案内羽根１３で整流され圧力を回復しながら、ファンカバー１４の側面に設けられた複数の排気口１４ｂから外部へ排出される。
【００１７】
一方、冷却ファン９より吸引される空気は、図中の矢印Ｂで示すように、モータフレーム１の通気口１ａより流れ込み、固定子２及び回転子３等を冷却すると共に、冷却ファン９の吸引口９ａの上流側に位置したブラケット４の軸受ハウジング４ａに収まった軸受７を冷却する。その後、吸引口９ａに流れ込み、冷却ファン９内部を通り、冷却ファン９の周縁から吐出し、ブレード１１ｃに案内され、ブラケット４の第２の通気口４ｃより外部へ排出される。
【００１８】
この一連の動作において、プレート１０の環状溝１０ｂとケーシング１２の折り曲げ部１２ａとがシール構造となっているため、送風ファン８より排出される空気は、モータ部５側へ流れ込むことがない。また、ほんの僅か流れ込んだとしても、冷却ファン９の排気圧により、冷却ファン９より排出される空気と共に、仕切り部材１１のブレード１１ｃを通りブラケット４の第２の通気口４ｃより外部へ排出される。したがって、水分の吸引も可能となる。
【００１９】
実施の形態１によれば、冷却ファン９より吸引された空気は、固定子２及び回転子３並びに軸受７等を冷却した後、吸引口９ｂから冷却ファン９内に吸引され、第２の通気口４ｃから排出される。したがって、モータ部５の冷却を行うと共に、軸受７の温度上昇によるグリースの劣化を防止することができ、長寿命の電動送風機を得ることができる。
【００２０】
また、仕切り部材１１により冷却ファン９とモータ部５とが仕切られているので、冷却ファン９より排出される空気がモータ部５内を循環することを防ぐことができ、冷却効率が向上し、温度上昇によるモータ部５の劣化を防止することができる。したがって、高効率で長寿命の電動送風機を得ることができる。
【００２１】
実施の形態２．
図４はこの発明の実施の形態２を示す電動送風機の拡大断面図、図５はその分解断面図である。図において、実施の形態１と同様の構成には同一の符号を付し、説明を省略する。１５は冷却ファン、１６は送風ファンであり、冷却ファン１５と送風ファン１６はワッシャー１７を介してそれぞれ設けられている。実施の形態１では、送風ファン８のブレード８ａと冷却ファン９のブレード９ａをプレート１０に一体的に形成したものを示したが、実施の形態２では冷却ファンを送風ファンの背面にワッシャーを介して取り付けたものを示す。また、１８はねじ６ａと送風ファン１６との間に設けたワッシャーである。
【００２２】
モータ部５を駆動すると回転子３の軸６に取り付けられた冷却ファン１５及び送風ファン１６が回転する。そして、送風ファン１６の吸引口１６ａより吸引された空気は、図中の矢印Ａで示すように送風ファン１６内部を通って送風ファン１６の周縁から吐出し、案内羽根１３で整流され圧力を回復しながら、ファンカバー１４の側面に設けられた複数の排気口１４ｂから外部へ排出される。
【００２３】
一方、冷却ファン１５の吸引口１５ａより吸引される空気は、図中の矢印Ｂで示すように、モータフレーム１の通気口１ａより流れ込み、固定子２及び回転子３等を冷却すると共に、冷却ファン９の吸引口９ａの上流側に位置したブラケット４の軸受ハウジング４ａに収まった軸受７を冷却する。その後、吸引口１５ａに流れ込み、冷却ファン１５を通り、冷却ファン１５の周縁から吐出し、ブレード１１ｃに案内され、ブラケット４の第２の通気口４ｃより外部へ排出される。
【００２４】
実施の形態２によれば、実施の形態１と同様の効果が得られると共に、冷却ファン１５と送風ファン１６が別部品構成となっているため、例えば、モータの入力仕様（発熱量）に合わせ、冷却ファン１５のみを交換することが可能となる。
【００２５】
【発明の効果】
以上のように、本発明によれば、冷却効率が向上し、温度上昇によるモータ部の劣化を防止でき、高効率で長寿命の電動送風機を得ることができる。
【００２６】
また、軸受は前記仕切り部材の通気口及び冷却ファンの吸引口に配置されているので、冷却ファンより吸引された空気は、モータ部、並びにモータ部の軸受を冷却できるので、軸受の温度上昇によるグリースの劣化を防止でき、長寿命の電動送風機を得ることができる。
【図面の簡単な説明】
【図１】この発明の実施の形態１を示す電動送風機の半分断面図である。
【図２】図１の拡大断面図である。
【図３】この発明の実施の形態１を示す電動送風機の分解断面図である。
【図４】この発明の実施の形態２を示す電動送風機の拡大断面図である。
【図５】この発明の実施の形態２を示す電動送風機の分解断面図である。
【図６】従来の電動送風機を示す断面図である。
【符号の説明】
１  モータフレーム、１ａ  通気口、１ｂ  軸受ハウジング、２  固定子、
３  回転子、４  ブラケット、４ａ  軸受ハウジング、４ｂ  第１の通気口、
４ｃ  第２の通気口、５  モータ部、６  軸、７  軸受、８  送風ファン、
８ａ  吸引口、９  冷却ファン、９ａ  吸引口、１０  プレート、
１１  仕切り部材、１１ａ  通気口、１１ｂ  脚部、１１ｃ  ブレード、
１２  ケーシング、１２ａ  開口部、１３  案内羽根、１４  ファンカバー、
１４ｂ  排気口、１５  冷却ファン、１６  送風ファン、１７  ワッシャー、
１８  ワッシャー。
【図１】
0003581301.tif 000002
【図２】
0003581301.tif 000003
【図３】
0003581301.tif 000004
【図４】
0003581301.tif 000005
【図５】
0003581301.tif 000006
【図６】
0003581301.tif 000007